(57)【要約】  画像１００は操作に従って編集される。前記操作のための操作値を、前記画像１００内の場所１０１をドラッグすることによって選択するようユーザを案内するためのガイド１０３が表示される。更に、前記ガイド１０３における対応する場所と関連する複数の操作値が表示される。次いで、前記画像１００において、選択された前記操作値で前記操作が実施される。
2010521859.tif 000002
【特許請求の範囲】
【請求項１】
操作に従って画像を編集するための方法であって、
画像における操作のための操作値を、前記画像内の場所をドラッグすることによって選択するようユーザを案内するためのガイドを表示するステップと、
前記ガイドにおける対応する場所と関連する複数の操作値を表示するステップと、
前記画像において、選択された前記操作値で前記操作を実施するステップとを有する方法。        
【請求項２】
前記画像内の前記場所が、アイコンによって表される請求項１に記載の方法。    
【請求項３】
前記操作が、前記画像のサイズ変更、回転及びトリミングのうちの１つである請求項１に記載の方法。
【請求項４】
前記ユーザは、前記ガイドに沿って前記場所をドラッグすることしか許容されない請求項１に記載の方法。
【請求項５】
請求項１乃至４のいずれか一項に記載の方法を実行するための複数のプログラムコード部を有するコンピュータプログラム。
【請求項６】
操作に従って画像を編集するための装置であって、
画像における操作のための操作値を、前記画像内の場所をドラッグすることによって選択するようユーザを案内するためのガイドを表示し、
前記ガイドにおける対応する場所と関連する複数の操作値を表示し、
前記画像において、選択された前記操作値で前記操作を実施するよう動作する電子回路を有する装置。
【発明の詳細な説明】
【技術分野】
【０００１】
本発明は、画像を編集するための方法及び装置に関する。詳細には、本発明は、デジタル画像を、前記デジタル画像が表示されるように、編集することに関する。
【背景技術】
【０００２】
装置によって取り込まれたデジタル画像であって、後に、ＰＣのような処理システム、ネットワークプロセッサ、インターネットプロバイダなどにダウンロード及び／又は記憶されるデジタル画像を、ユーザが編集することを可能にする多くのシステムが存在する。このような編集システムの例は、Quark ExpressなどのDixons、Hema、DTPアプリケーションのような写真アルバムプリントソフトウェアである。
【０００３】
写真アルバムエディタ、又はレイアウト内に配設される画像フレームを備えるいかなるＤＴＰエディタにおいても、取り込まれた画像において、フレームを動かす、画像をパンする、フレームの大きさを変更する、画像をズームする、フレームを回転させるなどといった多くの操作を実施することは、多くの場合、望ましい。
【０００４】
既存のエディタは、マウス又はタッチスクリーンなどの直接操作に基づいて、所望の編集効果をもたらすよう動作する。このタイプのエディタは、ユーザが、別々のやり方で、即ち、操作のうちの１つを選択する第１のやり方、及び所望の効果をもたらすよう処理をドラッグする第２のやり方で作業することを強いる。しかしながら、これらの既存のエディタは、直観的ではない。
【発明の概要】
【発明が解決しようとする課題】
【０００５】
本発明は、より容易で、動きの直観的な、画像の編集を可能にする技術を提供することを目的とする。
【課題を解決するための手段】
【０００６】
本発明の第１の態様によれば、これは、操作に従って画像を編集するための方法であって、画像における操作のための操作値を、前記画像内の場所をドラッグすることによって選択するようユーザを案内するためのガイドを表示するステップと、前記ガイドにおける対応する場所と関連する複数の操作値を表示するステップと、前記画像において、選択された前記操作値で前記操作を実施するステップとを有する方法によって達成される。前記画像内の前記場所は、例えば、前記画像のピクセル若しくはピクセルのグループ、又は前記画像に重ね合わせたアイコンであり得る。
【０００７】
本発明の第２の態様によれば、これは、操作に従って画像を編集するための装置であって、画像における操作のための操作値を、前記画像内の場所をドラッグすることによって選択するようユーザを案内するためのガイドを表示し、前記ガイドにおける対応する場所と関連する複数の操作値を表示し、前記画像において、選択された前記操作値で前記操作を実施するよう動作する電子回路を有する装置によっても達成される。
【０００８】
前記ガイドは、前記ユーザが、前記画像を編集するための、より容易で、より直観的な手段を供給する。より詳細には、前記ガイドは、所望の編集効果をもたらすためにはどのくらいでドラッグすべきかの表示、及び編集操作の効果、即ち、スケールの感覚の目に見える表示を供給する。更に、前記ガイドは、前記ユーザが、前記ドラッグが画面の外に移動する可能性が減らされた状態で、前記画像を編集することができるように、表示される。前記編集操作は、画像のサイズ変更、回転及び／又はトリミングを含み得る。前記ガイドは、前記ガイドに沿って縮尺通りに配置される操作値を備える線状のものであってもよい。選択は、画面上のアイコンを選択し、選択した前記アイコンを前記ガイドに沿って必要とされる値までドラッグすることによってなされ得る。前記操作のための値を設定するための各値のスケールを前記ユーザに明確に示す前記アイコン及びガイドが、前記画像と共に表示される。
【０００９】
本発明のより完全な理解のため、以下の説明を、添付図面と共に、参照されたい。
【図面の簡単な説明】
【００１０】
【図１】本発明の実施例の図である。
【図２】本発明の別の実施例の図である。
【発明を実施するための形態】
【００１１】
図１は、画像１００を図示している。編集モードにおいては、画像１００は、複数の操作アイコン（図示せず）と共に表示される。このようなアイコンが、例えば、マウスポインタを前記操作アイコンの上に動かす、又は前記操作アイコン上でタッチスクリーンに触れるなどによって、選択されると、画像１００の上にガイド１０３が重ね合わされる。
【００１２】
ガイド１０３は、線状のものであって、画像１００の中心から延在する。ガイド１０３は、ガイド１０３の長さに沿って、縮尺通りに表示される複数の操作値を有する。具体例においては、サイズ変更操作アイコン１０１は、ガイド１０３に沿って表示される縮尺値×１／４、×１／２、×２及び×４と共に示される。操作値は、値が選択された場合に結果として生じる画像の実際のサイズに対応するよう、ガイド１０３上に配置される。
【００１３】
次いで、ユーザは、画像内の場所を表すアイコン１０１を、ガイドに沿って、必要とされる値まで簡単にドラッグすることができる。アイコン１０１が動かされるにつれて、画像は動的に拡大・縮小され得る。操作アイコン１０１の解放は、操作アイコン１０１が静止している値までに画像１００のサイズを確定する。
【００１４】
図２においては、表示されている画像１００は、回転操作アイコン２０１の起動により回転される。これは、曲線状ガイド２０３を表示させる。ガイド２０３は、回転の実際の角度を示すようガイド２０３の曲線のまわりに表示される複数の操作値を有する。この結果として、画像１００は、ガイド２０３において選択される度数だけ、時計回り又は反時計回りの方向に回転される。
【００１５】
本発明の装置は、例えば、電子写真フレーム又はＰＣであり得る。電子回路は、汎用プロセッサ又は特定用途向けプロセッサ、例えばＩＣであり得る。装置は、好ましくは、タッチスクリーンを持つ。装置は、画像を記憶してもよく、且つ／又は例えばインターネットを用いて、外部装置から画像を取り出すよう動作してもよい。
【００１６】
本発明の実施例が、添付図面に図示され、上記の詳細な説明に記載されているが、本発明は、開示されている実施例に限定されず、下記の請求項において述べられているような本発明の範囲から逸脱せずに多くの変更が可能であることは理解されるであろう。各新規な特徴及び全ての新規な特徴、並びに特徴の全ての組み合わせに本発明がある。請求項における参照符号は、前記請求項の保護範囲を限定しない。「有する」という動詞及びその語形変化の使用は、請求項において明記されている要素以外の要素の存在を除外しない。要素の単数形表記は、このような要素の複数の存在を除外しない。
【００１７】
当業者には明らかであろうように、「手段」は、単独で又は他の素子と協働して、動作中に指定された機能を単独で若しくは他の機能と共に実施する、又は指定された機能を単独で若しくは他の機能と共に実施するよう設計される、あらゆる（別々の又は一体化した回路又は電子素子などの）ハードウェア又は（プログラム又はプログラムの一部などの）ソフトウェアを含むよう意図されている。本発明は、幾つかの別個の素子を有するハードウェア、及び適切にプログラムされたコンピュータによって実施され得る。幾つかの手段を挙げている装置の請求項においては、これらの手段の幾つかは、ハードウェアの同一のアイテムによって実施され得る。「コンピュータプログラム製品」は、フロッピーディスク（登録商標）などのコンピュータ読み込み可能な媒体に記憶される、又はインターネットなどのネットワークを介してダウンロード可能な、又は任意の他の方法で売れる、あらゆるソフトウェア製品を意味すると理解されたい。
【図１】
2010521859.tif 000003
【図２】
2010521859.tif 000004
【国際調査報告】
2010521859.tif 000005
2010521859.tif 000006